(57)【特許請求の範囲】
【請求項１】
液体内容物が貯蔵される圧搾容器（１０）のネック（１１）に装着され、前記圧搾容器（１０）を圧搾することによって抜け出る液体内容物に空気を混合させて泡状に排出させる圧搾容器用泡発生器であって、
前記圧搾容器用泡発生器（１００）は、
前記圧搾容器（１０）のネック（１１）に螺合方式で締結される大キャップ部（１１１）と、前記大キャップ部（１１１）の外郭に円筒形状からなる昇下降ガイド壁（１１２）と、前記大キャップ部（１１１）の上部から下端部が段差（１１３）を形成しながら直径が縮小された管状に突出するようになされ、上部が開放された泡排出部（１１４）とを備え、前記段差（１１３）には外部空気の流入を許容するためのエアホール（１１５）が穿孔された、キャップ本体（１１０）と、
前記キャップ本体（１１０）の大キャップ部（１１１）の上端内部に縁部（１２１）が嵌められて収容配置されて、前記キャップ本体（１１０）の段差（１１３）の下部と離隔し、中央部位には、凹状に窪んで液体排出口（１２３）が穿孔された排出案内部（１２２）が形成され、前記排出案内部（１２２）の底面中央には、前記圧搾容器（１０）に貯蔵された液体内容物を排出させるための排出チューブ（１３０）が結合されるチューブ結合口（１２４）が設けられ、前記排出案内部（１２２）の縁部には、前記圧搾容器（１０）の圧搾時に内部空気が前記排出案内部（１２２）の上側に排出されるようにするエア排出口（１２５）、及び前記圧搾容器（１０）の復元時に外部空気が前記圧搾容器（１０）の内部に流入するようにするエア流入口（１２６）が形成された、内容物排出ガイド（１２０）と、
弾性材質からなり、下端は前記内容物排出ガイド（１２０）の上面に密着し、上端は前記キャップ本体（１１０）の段差（１１３）の下部に密着して前記泡排出部（１１４）の内部に気液混合室（Ｓ）を形成するリング状の区画壁（１４１）と、前記区画壁（１４１）の内側から中央部に向かって下向きに延び、端部が前記内容物排出ガイド（１２０）の排出案内部（１２２）に弾性的に密着し、前記圧搾容器（１０）の圧搾時に前記圧搾容器（１０）の内部空気が前記エア排出口（１２５）を介して前記気液混合室（Ｓ）に排出されることを選択的に許容する第１チェック弁部（１４２）と、前記区画壁（１４１）の外側で外側に向かって上向きに延び、端部が前記キャップ本体（１１０）の段差（１１３）の外側に弾性的に密着して、前記圧搾容器（１０）の圧搾時には前記エアホール（１１５）を閉鎖し、前記圧搾容器（１０）の復元時には前記エアホール（１１５）を開放して外部から空気の流入を許容する第２チェック弁部（１４３）とを含む、チェック弁ユニット（１４０）と、
前記キャップ本体（１１０）の泡排出部（１１４）の内部に嵌められて収容配置され、上、下部が開放された円筒形状からなり、上面及び下面には濾過網（１５２）（１５３）が設けられて、前記気液混合室（Ｓ）で液体内容物と空気が混合されて形成された泡を均質化させながら排出案内する濾過部材（１５０）と、
円筒状の壁面（１６１）の下端が前記キャップ本体（１１０）の昇下降ガイド壁（１１２）の内側に昇下降可能に収容結合され、前記キャップ本体（１１０）の上部を覆う上面（１６２）には、前記濾過部材（１５０）を抜け出た泡が外部に分散して排出される複数個の泡分散孔（１６３）が穿孔され、上面（１６２）の中央には、昇下降操作によって前記泡排出部（１１４）を選択的に開閉する円筒状の遮断壁（１６４）が設けられた、昇下降キャップ（１６０）とを備えることを特徴とする、圧搾容器用泡発生器。
【請求項２】
前記圧搾容器用泡発生器（１００）は、
前記昇下降キャップ（１６０）の上部に嵌装され、前記泡分散孔（１６３）と個別に連通するように複数個の連通口（１７２）が設けられたベース（１７１）と、
前記連通口（１７２）を介して排出された泡を皮膚に均一に塗るために前記ベース（１７１）の上面に設けられたマッサージ毛（１７３）とを備えた、マッサージ部材（１７０）をさらに備えることを特徴とする、請求項１に記載の圧搾容器用泡発生器。
【請求項３】
前記昇下降ガイド壁（１１２）の内側には、互いに対向するように支持軸（１１６）が突出して形成され、
前記昇下降キャップ（１６０）の壁面（１６１）の外側には、前記支持軸（１１６）がそれぞれ収容される螺旋溝（１６５）が一定の区間にわたって対向するように形成されて、前記昇下降キャップ（１６０）の正逆方向回転操作によって定位置で上昇又は下降するように配置され、
前記昇下降キャップ（１６０）の正方向回転により前記昇下降キャップ（１６０）が最大に上昇すると、前記円筒状の遮断壁（１６４）が前記泡排出部（１１４）を開放し、前記昇下降キャップ（１６０）の逆方向回転により前記昇下降キャップ（１６０）が最大に下降すると、前記円筒状の遮断壁（１６４）が前記泡排出部（１１４）を閉鎖することを特徴とする、請求項１に記載の圧搾容器用泡発生器。
【発明の詳細な説明】
【技術分野】
【０００１】
本発明は、圧搾容器用泡発生器に関し、より詳細には、圧搾容器を直接圧搾すると、液状の内容物が空気と共に混合されながら泡状に排出されるようにする圧搾容器用泡発生器に関する。
【背景技術】
【０００２】
一般に、泡発生器は、容器に貯蔵された液体内容物を気液混合室で空気を合流させると同時に、濾過網体を介して均一な泡液体を作って排出するもので、ボディーシャンプー、毛髪化粧料または浴室、台所、トイレで使用する洗浄剤などに様々な用途に使用される。
【０００３】
従来の泡発生器は、液状の内容物に適切な量のガスを混合及び押出して泡を発生させる形態で使用されているが、このようなガス泡発生器が適用される製品では、容器内に圧縮ガスを充填しなければならないため、作製の面でかなりの技術的な困難があり、使用する度に振らなければならないという不便さがある。また、製品容器が傾斜した状態では、充填液を泡状態に噴出させることができず、圧縮ガスのみが噴射されるという欠点がある。
【０００４】
このような欠点を解決するために、圧縮空気を充填したり、振ったりしなくても、外部空気と液体内容物を適切に混合させて泡として噴出させるフォーミングポンプアセンブリが大韓民国登録実用新案公報第２０−０１６９７７３号（考案の名称：泡発生器の空気弁装置）として開示されている。
【０００５】
大韓民国登録実用新案公報第２０−０１６９７７３号に開示されたフォーミングポンプアセンブリは、図１に示したように、内容物（液状）が貯蔵された容器Ａのネックに螺合方式で結合されるキャップ１と、このキャップ１の内部に固定され、負圧孔２ｂが穿孔された空気シリンダ２ａを有し、この空気シリンダ２ａの下部中央に内容物（液体）が進入する長い円筒状の液体シリンダー２ｃが一体に形成されたシリンダーボディー２と、このシリンダーボディー２の内部に一端が出入りするようにキャップ１に支持されて設置され、泡が噴射される出口３ａを有するノズル３と、このノズル３の内周に上部が固定され、シリンダーボディー２の空気シリンダ２ａの内周に下端外周が密着設置されて、ノズル３を押すときに空気シリンダ２ａの下部を加圧し、上部を膨張させる空気ピストン４と、シリンダーボディー２の液体シリンダー２ｃの下部に備えられたコイルばね５と空気ピストン４との間に設置されて、ノズル３を上側に弾性支持し、圧縮された空気及び内容物を空気ピストン４の上部に誘導する液体ピストン６と、シリンダーボディー２の液体シリンダー２ｃの底部に位置して液体吸入口７を選択的に開閉させるボール８とが備えられている。そして、ノズル３の内部には、泡を濾過するための濾過網９が配置される。
【０００６】
このような従来のフォーミングポンプアセンブリでは、ノズル３を繰り返して押すと、容器Ａの内部に充填された内容物（液体）が液体シリンダー２ｃを介して吸入／ポンピングされると同時に、空気シリンダ２ａ内の空気が噴出されながら泡が発生し、続けて泡は濾過網９を通過して均一に濾過されながらノズル３の出口３ａを介して外部に噴出される。しかし、従来のフォーミングポンプアセンブリでは、液体内容物の吸入流路である液体シリンダー２ｃの内部に金属で作製されたコイルばね５とボール８（鋼球）が配置されるため、長期間使用時に液体内容物によってコイルばね５とボール８が腐食することがあり、これにより、液体内容物もまた変質するおそれがある。
【０００７】
特に、最近は、フォーミングポンプアセンブリが適用される製品の内容物が次第に高機能化されているが、液体シリンダー２ｃの内部で金属製コイルばね５及びボール８は常に内容物と接した状態に維持されるため、腐食が進行し得るという問題がある。
【発明の概要】
【発明が解決しようとする課題】
【０００８】
本発明は、このような問題点を解決するためのもので、本発明の目的は、液体内容物が貯蔵された圧搾容器を圧搾すると、内部圧力を通じて液体内容物が空気と共に混合されながら泡状に排出されるように構成することによって、内容物の変質を防止できることは勿論であり、製品応答性をさらに向上させることができる圧搾容器用泡発生器を提供することにある。
【０００９】
また、本発明の他の目的は、泡発生器に排出遮断機能を追加して、製品をより安定的に使用することができ、流通中にも漏液現象を防止できる圧搾容器用泡発生器を提供することにある。
【００１０】
また、本発明の更に他の目的は、泡発生器にマッサージ部材を付設して、手の平を使用しなくても、排出される泡を皮膚に直接均一に塗ることができる圧搾容器用泡発生器を提供することにある。
【課題を解決するための手段】
【００１１】
上記のような目的を達成するための本発明は、液体内容物が貯蔵される圧搾容器のネックに装着され、前記圧搾容器を圧搾することによって抜け出る液体内容物に空気を混合させて泡状に排出させる圧搾容器用泡発生器であって、
【００１２】
前記圧搾容器用泡発生器は；前記圧搾容器のネックに螺合方式で締結される大キャップ部と、前記大キャップ部の外郭に円筒形状からなる昇下降ガイド壁と、前記大キャップ部の上部から下端部が段差を形成しながら直径が縮小された管状に突出するようになされ、上部が開放された泡排出部とを備え、前記段差には外部空気の流入を許容するためのエアホールが穿孔された、キャップ本体と；前記キャップ本体の大キャップ部の上端内部に縁部が嵌められて収容配置されて、前記キャップ本体の段差の下部と離隔し、中央部位には、凹状に窪んで液体排出口が穿孔された排出案内部が形成され、前記排出案内部の底面中央には、前記圧搾容器に貯蔵された液体内容物を排出させるための排出チューブが結合されるチューブ結合口が設けられ、前記排出案内部の縁部には、前記圧搾容器の圧搾時に内部空気が前記排出案内部の上側に排出されるようにするエア排出口、及び前記圧搾容器の復元時に外部空気が前記圧搾容器の内部に流入するようにするエア流入口が形成された、内容物排出ガイドと；弾性材質からなり、下端は前記内容物排出ガイドの上面に密着し、上端は前記キャップ本体の段差の下部に密着して前記泡排出部の内部に気液混合室を形成するリング状の区画壁と、前記区画壁の内側から中央部に向かって下向きに延び、端部が前記内容物排出ガイドの排出案内部に弾性的に密着し、前記圧搾容器の圧搾時に前記圧搾容器の内部空気が前記エア排出口を介して前記気液混合室に排出されることを選択的に許容する第１チェック弁部と、前記区画壁の外側で外側に向かって上向きに延び、端部が前記キャップ本体の段差の外側に弾性的に密着して、前記圧搾容器の圧搾時には前記エアホールを閉鎖し、前記圧搾容器の復元時には前記エアホールを開放して外部から空気の流入を許容する第２チェック弁部とを含む、チェック弁ユニットと；前記キャップ本体の泡排出部の内部に嵌められて収容配置され、上、下部が開放された円筒形状からなり、上面及び下面には濾過網が設けられて、前記気液混合室で液体内容物と空気が混合されて形成された泡を均質化させながら排出案内する濾過部材と；円筒状の壁面の下端が前記キャップ本体の昇下降ガイド壁の内側に昇下降可能に収容結合され、前記キャップ本体の上部を覆う上面には、前記濾過部材を抜け出た泡が外部に分散して排出される複数個の泡分散孔が穿孔され、上面の中央には、昇下降操作によって前記泡排出部を選択的に開閉する円筒状の遮断壁が設けられた、昇下降キャップとを；備えることを特徴とする。
【００１３】
また、本発明は、前記圧搾容器用泡発生器が、前記昇下降キャップの上部に嵌装され、前記泡分散孔と個別に連通するように複数個の連通口が設けられたベースと、前記連通口を介して排出された泡を皮膚に均一に塗るために前記ベースの上面に設けられたマッサージ毛とを備えた、マッサージ部材をさらに備えることを特徴とする。
【００１４】
また、本発明は、前記昇下降ガイド壁の内側には、互いに対向するように支持軸が突出して形成され；前記昇下降キャップの壁面の外側には、前記支持軸がそれぞれ収容される螺旋溝が一定の区間にわたって対向するように形成されて、前記昇下降キャップの正逆方向回転操作によって定位置で上昇又は下降するように配置され；前記昇下降キャップの正方向回転により前記昇下降キャップが最大に上昇すると、前記円筒状の遮断壁が前記泡排出部を開放し、前記昇下降キャップの逆方向回転により前記昇下降キャップが最大に下降すると、前記円筒状の遮断壁が前記泡排出部を閉鎖することを特徴とする。
【発明の効果】
【００１５】
前記のような構成からなる本発明に係る圧搾容器用泡発生器によれば、液体内容物が貯蔵された圧搾容器を直接圧搾することによって、内部圧力を通じてポンピングされた液体内容物が気液混合室で空気と共に混合されながら泡状に直接排出される。したがって、液体内容物は、別途の金属部材と接触がないため、その変質を防止できることは勿論であり、圧搾容器を圧搾することによって内容物が直ちに泡状に排出されることによって、製品応答性がさらに向上するという利点がある。特に、片手でも圧搾容器を直接圧搾して内容物を泡状に排出できるので、その使用の利便性をさらに向上させることができるという作用効果がある。
【００１６】
また、本発明に係る圧搾容器用泡発生器によれば、噴出される泡をマッサージ部材を通じて皮膚に塗ったり、皮膚を洗浄（クレンジング）したりすることができる。特に、手の平を使用しなくても、噴出される泡（内容物）をマッサージ部材を通じて直接皮膚に均一に塗りながらマッサージ効果も具現できるという利点がある。
【００１７】
また、本発明に係る圧搾容器用泡発生器によれば、昇下降キャップを正逆方向に操作して昇下降させることによって泡排出部を容易に開閉し得るので、製品をより安定的に使用することができ、流通中にも漏液現象を防止できるという利点がある。
【図面の簡単な説明】
【００１８】
【図１】従来の大韓民国登録実用新案公報第２０−０１６９７７３号に開示された泡発生器の空気弁装置を示す図である。
【００１９】
【図２】内容物が入った圧搾容器に本発明に係る圧搾容器用泡発生器が適用された状態を示す断面図である。
【００２０】
【図３】本発明に係る圧搾容器用泡発生器の内部を示す断面図である。
【００２１】
【図４】本発明に係る圧搾容器用泡発生器の分解断面図である。
【００２２】
【図５】本発明に係る圧搾容器用泡発生器の分解斜視図である。
【００２３】
【図６】本発明に係る圧搾容器用泡発生器の泡噴出過程を示す図である。
【００２４】
【図７】本発明に係る圧搾容器用泡発生器の復元過程（外部空気吸入過程）を示す図である。
【００２５】
【図８】本発明に係る圧搾容器用泡発生器において昇下降キャップを用いたロッキング状態を示す図である。
【００２６】
【符号の説明】
【００２７】
１０    圧搾容器    １１    ネック    １００    泡発生器
【００２８】
１１０    キャップ本体    １１１    大キャップ部    １１２    昇下降ガイド壁
【００２９】
１１３    段差    １１４    泡排出部    １１５    エアホール
【００３０】
１１６    支持軸    １２０    内容物排出ガイド    １２１    縁部
【００３１】
１２２    排出案内部    １２３    液体排出口    １２４    チューブ結合口
【００３２】
１２５    エア排出口    １２６    エア流入口    １３０    排出チューブ
【００３３】
１４０    チェック弁ユニット    １４１    区画壁    １４２    第１チェック弁部
【００３４】
１４３    第２チェック弁部    １５０    濾過部材    １５１    ボディー
【００３５】
１５２，１５３    濾過網    １６０    昇下降キャップ    １６１    壁面
【００３６】
１６２    上面    １６３    泡分散孔    １６４    遮断壁
【００３７】
１６５    螺旋溝    １７０    マッサージ部材    １７１    ベース
【００３８】
１７２    連通口    １７３    マッサージ毛    Ｓ    気液混合室
【発明を実施するための形態】
【００３９】
以下、本発明に係る一つの好ましい実施例を添付の図面を参照して詳細に説明する。添付の図面を簡略に説明すると、図２乃至図５は、本発明に係る圧搾容器用泡発生器の構成を示したものであり、図６乃至図８は、本発明に係る圧搾容器用泡発生器の使用状態を示したものである。
【００４０】
＜本発明に係る圧搾容器用泡発生器の構成説明＞
【００４１】
本発明に係る圧搾容器用泡発生器は、内容物が貯蔵された圧搾容器のネックに装着され、圧搾容器を直接圧搾することによって圧搾容器の内部圧力を通じて液状の内容物を空気と共に混合させながら泡状に排出させるためのもので、図２及び図３に示したように、圧搾容器１０のネック１１に結合されるキャップ本体１１０と、このキャップ本体１１０の内部に収容配置され、圧搾容器１０の圧搾によって液体内容物及び空気の排出をガイドする内容物排出ガイド１２０と、圧搾容器１０の圧搾及び復元動作によって空気の吸入及び排出を制御するためのチェック弁ユニット１４０と、キャップ本体１１０の上端部に収容配置され、液体内容物と空気が混合されて形成された泡を均質化させるための濾過部材１５０と、キャップ本体１１０の上端部に昇下降可能に組み立てられて泡を外部に噴出させるための昇下降キャップ１６０と、昇下降キャップ１６０の上部に装着されたマッサージ部材１７０とを備えている。本発明に係る圧搾容器用泡発生器１００をなす各構成要素は、液状の内容物と化学反応しない合成樹脂で作製され、これらの詳細な構造は、次の通りである。
【００４２】
まず、圧搾容器１０は、液体内容物が貯蔵されるもので、これは、使用者が手で圧搾させることができ、圧搾力が除去されると、容器自体の弾性力で復元される軟質合成樹脂で作製され、圧搾容器１０のネック１１は、外壁が雄ねじからなっている。
【００４３】
キャップ本体１１０は、硬質合成樹脂で成形されるもので、図３乃至図５に示したように、圧搾容器１０のネック１１に螺合方式で締結される大キャップ部１１１、及びこの大キャップ部１１１の上部から下端部が段差１１３を形成しながら直径が縮小された管状に突出するようになされ、上部が開放された泡排出部１１４で定義される。また、キャップ本体１１１の段差１１３には、外部空気の流入を許容するためのエアホール１１５が穿孔されている。エアホール１１５は、圧搾容器１０の弾性復元時に外部空気が圧搾容器１０の内部に流入するようにするためである。また、大キャップ部１１１の外郭には円筒状の昇下降ガイド壁１１２が一体となっている。この昇下降ガイド壁１１２は、昇下降キャップ１６０の昇下降移動を支持するためのもので、その内側には、互いに対向するように支持軸１１６が突出して形成されている。
【００４４】
内容物排出ガイド１２０もまた、硬質合成樹脂で成形されるもので、図３乃至図５に示したように、キャップ本体１１０の大キャップ部１１１の上端内部に縁部１２１が嵌められて収容配置されて、キャップ本体１１０の段差１１３の下部と一定間隔離隔して空間を形成するようになる。このような内容物排出ガイド１２０は、中央部位に凹状に窪んで液体排出口１２３が穿孔された排出案内部１２２と、この排出案内部１２２の底面中央に設けられ、圧搾容器１０に貯蔵された液体内容物を排出させるための排出チューブ１３０が結合されるチューブ結合口１２４とで定義される。また、排出案内部１２２の外側には、圧搾容器１０の圧搾時に内部空気が排出案内部１２２の上側に排出され得るエア排出口１２５、及び圧搾容器１０の復元時にエアホール１１５を介して流入した外部空気が圧搾容器１０の内部に流入し得るエア流入口１２６が形成されている。本発明の実施例では、エア流入口１２６を排出案内部１２２の最外側に６個形成して圧搾容器１０の復元が直ちに行われるようにし、エア排出口１２５は、１８０°対向するように２個形成して、圧搾容器１０の圧搾時に、エアが後述する気液混合室Ｓに速やかに排出されるようにした。また、排出案内部１２２の液体排出口１２３は、排出チューブ１３０を介して上側に排出される液体内容物が分散しながら気液混合室Ｓで空気と円滑に混合されるように、排出案内部１２２の底部で半径方向に向かって複数個（本発明の実施例では、１８０°対向するように２個）に分岐して形成した。
【００４５】
チェック弁ユニット１４０は、弾性ゴム材質（シリコンまたはＮＢＲなど）からなり、図３乃至図５に示したように、下端が内容物排出ガイド１２０の底上面に密着し、上端はキャップ本体１１０の段差１１３の下部に密着して泡排出部１１４の内部に気液混合室Ｓを形成するリング状の区画壁１４１と、この区画壁１４１の内側から中央部に向かって下向きに延び、端部が内容物排出ガイド１２０の排出案内部１２２に弾性的に密着し、圧搾容器１０の圧搾時にエア排出口１２５を介して排出された圧搾容器１０の内部空気が気液混合室Ｓに排出されることを選択的に許容する第１チェック弁部１４２と、区画壁１４１の外側で外側に向かって上向きに延び、端部がキャップ本体１１０の段差１１３の外側に弾性的に密着して、圧搾容器１０の圧搾時にはエアホール１１５を閉鎖し、圧搾容器１０の復元時にはエアホール１１５を開放して外部から空気の流入を許容する第２チェック弁部１４３とで定義される。
【００４６】
濾過部材１５０は、図３乃至図５に示したように、キャップ本体１１０の泡排出部１１４の内部（気液混合室：Ｓ）に嵌められて収容配置され、上、下部が開放された円筒状のボディー１５１、及びこのボディー１５１の上面及び下面を覆うように設けられたメッシュ（ＭＥＳＨ）形状の濾過網１５２，１５３からなっている。これによって、濾過部材１５０は、気液混合室Ｓで液体内容物と空気が混合されて形成された泡を均質化させながら上側に排出案内するようになる。
【００４７】
そして、昇下降キャップ１６０は、図３乃至図５に示したように、本発明に係る圧搾容器用泡発生器１００において泡を外部に排出案内することは勿論であり、ロッキングの役割を果たし得るもので、下端部がキャップ本体１１０の昇下降ガイド壁１１２に収容結合されて昇下降が可能な円筒状の壁面１６１と、キャップ本体１１０の上部を覆うようになされ、濾過部材１５０を抜け出た泡が外部に分散して排出されるように複数個の泡分散孔１６３が穿孔された上面１６２とで定義される。また、昇下降キャップ１６０の上面１６２の中央には、昇下降操作によって泡排出部１１４を選択的に開閉して泡排出部１１４と泡分散孔１６３との連通を許容又は遮断する円筒状の遮断壁１６４が設けられている。
【００４８】
このような昇下降キャップ１６０の昇下降動作は、その正逆方向回転操作によって行われるように構成されている。すなわち、昇下降キャップ１６０の壁面１６１の外側には、支持軸１１６がそれぞれ収容され、上部から下向きに傾斜した螺旋溝１６５が、一定の区間（本発明では９０°区間）にわたって対向するように形成されているため、昇下降キャップ１６０の正逆方向回転操作によって定位置で昇降又は下降するようになる。したがって、昇下降キャップ１６０の正方向回転により（図５の矢印Ａ方向）最大に昇降すると、円筒状の遮断壁１６４が泡排出部１１４の上部から離隔し、これにより、泡排出部１１４と泡分散孔１６３とが連通して泡が排出され得るようになる。反面、昇下降キャップ１６０の逆方向回転により（図５の矢印Ｂ方向）最大に下降すると、円筒状の遮断壁１６４が泡排出部１１４の上部を完全に閉鎖して、泡が排出されなくなる。
【００４９】
一方、マッサージ部材１７０は、図３乃至図５に示したように、昇下降キャップ１６０の上部を覆うように嵌装され、泡分散孔１６３と個別に連通するように複数個の連通口１７２が設けられたベース１７１、及びこのベース１７１の上面の全域にわたって植えられたマッサージ毛１７３で定義される。マッサージ毛１７３は、皮膚に弾力的に接しながら、連通口１７２を介して排出された泡を皮膚に均一に塗るためのものである。
【００５０】
＜本発明に係る圧搾容器用泡発生器の作動及び効果の説明＞
【００５１】
以下では、本発明に係る圧搾容器用泡発生器の作動及びこれによる作用効果を、図２、及び図６乃至図８を参照して説明する。
【００５２】
まず、図２に示したように、本発明に係る圧搾容器用泡発生器１００の初期状態では、液体内容物と共に空気が充填された圧搾容器１０が元の状態に維持され、チェック弁ユニット１４０の第１チェック弁部１４２は、それ自体の弾性復元力で内容物排出ガイド１２０の排出案内部１２２に密着し、チェック弁ユニット１４０の第２チェック弁部１４３もまた、それ自体の弾性復元力でキャップ本体１１０の段差１１３の外側に密着してエアホール１１５を閉鎖した状態に維持される。
【００５３】
そして、図６に示したように、昇下降キャップ１６０が昇降した状態で使用者が圧搾容器１０を押して圧搾させると（図６の矢印方向参照）、内部圧力が発生し、これにより圧搾容器１０の内部空気及び液体内容物が加圧される。したがって、圧搾容器１０に貯蔵された液体内容物の一部は、排出チューブ１３０及び液体排出口１２３を介して気液混合室Ｓに排出される（図６の実線矢印方向参照）。なお、圧搾容器１０の内部にあった一部の空気は加圧されながら第２チェック弁部１４３を閉鎖し、第１チェック弁部１４２は開放させて気液混合室Ｓに排出される（図６の点線矢印方向参照）。
【００５４】
気液混合室Ｓでは、加圧空気と液体内容物が混合されながら泡が形成され、液体内容物は、複数個の液体排出口１２３を介して分散して上がってくるので、空気との混合がさらに円滑に行われて、直ちに泡に変わるようになる。このような泡は、濾過部材１５０を通過しながら均質化され、均質化された泡は、昇下降キャップ１６０の泡分散孔１６３及びマッサージ部材１７０の連通口１７２を経由して外部に排出される。
【００５５】
そして、図７に示したように、圧搾容器１０に加えた人為的な力を除去すると、圧搾容器１０自体の弾性復元力によって元の状態に復元されながら、内部には負圧が形成される。すなわち、潰れた圧搾容器１０が復元されながら内部に負圧が形成されると、チェック弁ユニット１４０の第２チェック弁部１４３が瞬間開放されて、外部空気が圧搾容器１０の内部に流入する。すなわち、液体内容物の一部が排出された圧搾容器１０には、エアホール１１５及びエア流入口１２６を通じてその体積だけの外部空気が入ってきて充填されて、圧搾容器１０が初期状態に維持される。圧搾容器１０の復元過程で、チェック弁ユニット１４０の第１チェック弁部１４２は排出案内部１２２に密着してエア排出口１２５を閉鎖する。
【００５６】
このような一連の過程を繰り返すことによって、圧搾容器１０に入っている液体内容物を泡状に噴出させて使用することができる。すなわち、本発明に係る圧搾容器用泡発生器１００では、内容物が貯蔵された圧搾容器１０を直接圧搾することによって、内部圧力を通じて液体内容物が空気と共に混合されながら泡状に直接排出される。また、片手で圧搾容器１０を直接圧搾しても内容物が泡状に排出されることによって、その使用の利便性を向上させることができる。そして、外部に排出された泡は、マッサージ部材１７０を通じて、手を利用しなくても皮膚に均一に塗ったり、皮膚を洗浄（クレンジング）したりすることができる。特に、使用者は、マッサージ部材１７０のマッサージ毛１７３を通じて、皮膚をマッサージするように押しながら泡を均一に塗ることができる。
【００５７】
一方、図８に示したように、昇下降キャップ１６０を逆方向に９０°回転させると（図８の矢印Ｂ方向）、昇下降キャップ１６０が下降しながら円筒状の遮断壁１６４が泡排出部１１４に収容／密着されてこれを閉鎖する。｛昇下降キャップ１６０は、上述したように、それぞれの螺旋溝１６５にそれぞれ支持軸１１６が収容結合されているため、正逆方向回転操作によって定位置でのみ昇下降移動するようになる。｝このように、昇下降キャップ１６０が下降して泡排出部１１４を閉鎖した状態では、圧搾容器１０を押して圧搾しても泡が排出されないため、ロッキング状態に維持される。すなわち、回転／昇下降方式で締結された昇下降キャップ１６０を通じて、泡排出の案内は勿論であり、ロッキング機能も併行し得るため、製品をさらに安定的に使用することができ、流通中にも漏液現象を防止することができる。
【産業上の利用可能性】
【００５８】
本発明は、圧搾容器を直接圧搾して液状内容物を空気と共に混合しながら泡状に排出させるための圧搾容器用泡発生器の分野に広範囲に利用することができる。
【図１】
0006509440.tif 000002
【図２】
0006509440.tif 000003
【図３】
0006509440.tif 000004
【図４】
0006509440.tif 000005
【図５】
0006509440.tif 000006
【図６】
0006509440.tif 000007
【図７】
0006509440.tif 000008
【図８】
0006509440.tif 000009